(57)【要約】      （修正有）【課題】シンボル間干渉、サブキャリア間干渉を除去し、伝送特性を改善する。【解決手段】干渉除去部は、伝搬路推定値、信号検出部から出力される復号結果を用いて、受信部あるいは受信信号記憶部から出力される信号から、干渉成分を除去する処理を繰り返し行う。具体的には、復号後の符号化ビットの対数尤度比ＬＬＲを用いて、送信装置が自受信装置宛に送信するであろう信号レプリカを生成する。すなわち、受信装置では送信装置が送信したユーザ１に対する送信信号レプリカを生成する。さらに、この送信信号レプリカと伝搬路推定値を用いてユーザ１に対する干渉レプリカを生成し、受信部あるいは受信信号記憶部から出力される信号から減算する。したがって、干渉除去部は、受信したＯＦＤＭＡ信号を構成するデータ変調シンボルのうち、一部のデータ変調シンボルに対する復号処理結果を用いて生成した干渉レプリカを除去することで、干渉成分を除去する。【選択図】図３
2011097125.tif 000002
【特許請求の範囲】
【請求項１】
マルチキャリア変調された信号を受信する受信部と、
復号処理結果を用いて生成した変調シンボルレプリカを前記受信部が受信した信号から除去して出力する干渉除去部と、
前記干渉除去部により出力した信号を復号処理して復号処理結果を出力する信号検出部と、を備え、
前記干渉除去部は、
前記変調シンボルレプリカを、前記受信部が受信した信号を構成するデータ変調シンボルの一部に対する復号処理結果を用いて生成することを特徴とする受信装置。
【請求項２】
前記干渉除去部は、
前記受信部が受信した信号を構成するデータ変調シンボルの一部に対する変調シンボルレプリカを用いて干渉除去することを特徴とする請求項１に記載の受信装置。
【請求項３】
前記受信部は、複数の符号化ブロックの符号化ビットで生成したデータ変調シンボルから構成されるマルチキャリア変調した信号を受信し、
前記干渉除去部は、前記変調シンボルレプリカを、前記符号化ブロックのうち少なくとも１つの符号化ブロックに対するデータ変調シンボルの復号処理結果を用いて生成することを特徴とする請求項１に記載の受信装置。
【請求項４】
前記マルチキャリア変調した信号は、前記符号化ブロックがユーザ毎に割り当てられている信号であることを特徴とする請求項３に記載の受信装置。
【請求項５】
前記信号検出部は、
前記干渉除去部により出力した信号のうち、所望のデータ変調シンボルのみに対する復号処理を行いその復号処理結果を出力することを特徴とする請求項１に記載の受信装置。
【請求項６】
前記干渉除去部により出力した信号を復調する復調部を備え、
前記干渉除去部は、前記変調シンボルレプリカを、前記受信部が受信した信号を構成するデータ変調シンボルの一部のデータ変調シンボルの復号処理結果とその他の一部のデータ変調シンボルの前記復調部の復調処理結果を用いて生成することを特徴とする請求項１に記載の受信装置。
【請求項７】
前記受信部は、
複数の符号化ブロックの符号化ビットで生成したデータ変調シンボルから構成されるマルチキャリア変調した信号を受信し、
前記干渉除去部は、前記変調シンボルレプリカを、複数の符号化ブロックのうち少なくとも１つの符号化ブロックに対するデータ変調シンボルの復号処理結果と前記符号化ブロックを除く少なくとも１つの符号化ブロックに対するデータ変調シンボルの復調結果を用いて生成することを特徴とする請求項６に記載の受信装置。
【請求項８】
前記干渉除去部は、
復号処理結果を用いて変調シンボルレプリカを生成するシンボルレプリカ生成部と、
前記変調シンボルレプリカと伝搬路推定値を用いて干渉レプリカを生成する干渉レプリカ生成部と、
前記受信部が受信した信号から前記干渉レプリカを減算する減算部と
を備えることを特徴とする請求項１に記載の受信装置。
【請求項９】
マルチキャリア変調した信号を受信する第１のステップと、
復号処理結果を用いて生成した変調シンボルレプリカを前記第１のステップにより受信した信号から除去して出力する第２のステップと、
前記第２のステップにより出力した信号を復号処理して復号処理結果を出力する第３のステップと、を有し、
前記第２のステップは、
前記変調シンボルレプリカを、受信部が受信した信号を構成するデータ変調シンボルの一部に対する復号処理結果を用いて生成するステップを含むこと
を特徴とする受信方法。
【請求項１０】
マルチキャリア変調した信号を送信する送信装置と、前記送信装置により送信された信号を受信し復号する受信装置と、を備える通信システムであって、
前記受信装置は、
前記送信装置により送信された信号を受信する受信部と、
復号処理結果を用いて生成した変調シンボルレプリカを前記受信部が受信した信号から除去して出力する干渉除去部と、
前記干渉除去部により出力した信号を復号処理して復号処理結果を出力する信号検出部と、を備え、
前記干渉除去部は、
前記変調シンボルレプリカを、受信部が受信した信号を構成するデータ変調シンボルの一部に対する復号処理結果を用いて生成することを特徴とする通信システム。
【請求項１１】
マルチキャリア変調した信号を送信するステップと、
前記送信装置により送信された信号を受信し復号するステップと、を有する通信方法であって、
前記受信し復号するステップは、
マルチキャリア変調した信号を受信する第１のステップと、
復号処理結果を用いて生成した変調シンボルレプリカを前記第１のステップにより受信した信号から除去して出力する第２のステップと、
前記第２のステップにより出力した信号を復号処理して復号処理結果を出力する第３のステップと、
を有し、
前記第２のステップは、
前記変調シンボルレプリカを、受信部が受信した信号を構成するデータ変調シンボルの一部に対する復号処理結果を用いて生成すること、
を特徴とする通信方法。
【請求項１２】
復号処理結果を用いて生成した変調シンボルレプリカを受信したマルチキャリア変調した信号から除去して出力する干渉除去回路と、
前記干渉除去回路により出力した信号を復号処理して復号処理結果を出力する信号検出回路と、少なくとも前記第干渉除去回路に対して制御を行うチップ制御回路と、を有し、
前記干渉除去回路は、
前記変調シンボルレプリカを、受信部が受信した信号を構成するデータ変調シンボルの一部に対する復号処理結果を用いて生成する回路を含むことを特徴とする受信回路。
【発明の詳細な説明】
【技術分野】
【０００１】
本発明は、受信装置、受信方法、通信システムおよび通信方法に関する。
【背景技術】
【０００２】
無線通信システムにおいて、例えば、ＯＦＤＭ（Orthogonal Frequency Division Multiplex：直交周波数分割多重）を用いたマルチキャリア伝送方式は、マルチキャリア化とガードインターバル（ＧＩ：Guard Interval）の挿入によって、高速デジタル信号伝送におけるマルチパスフェージングの影響を軽減することができる。しかしながら、ＯＦＤＭにおいて、ガードインターバル区間を越える遅延波が存在すると、前のシンボルが高速フーリエ変換（ＦＦＴ：Fast Fourier Transform）区間に入り込むことにより生じるシンボル間干渉（ＩＳＩ：Inter Symbol Interference）や、高速フーリエ変換区間にシンボルの切れ目、つまり信号の不連続区間が入ることによって生じるキャリア間干渉（ＩＣＩ：Inter Carrier Interference）が生じ、特性劣化の原因となる。
【０００３】
図１８は、マルチパス環境を経て送信装置から受信装置に到達する信号の概要を示す図である。図１８において、横軸は時間である。ＯＦＤＭシンボルは、有効シンボルと、この有効シンボルの前に配置され当該有効シンボルの後半部分をコピーして付加したガードインターバルとにより構成されている。
【０００４】
先行波ｓ１（最初に到来した波）と同期をとり、区間ｔ４でＦＦＴ処理を行った場合に、遅延波ｓ２は遅延時間がガードインターバル以内の遅延ｔ１におさまった場合の例を示しており、遅延波ｓ３およびｓ４はガードインターバルを超える遅延ｔ２およびｔ３が生じた遅延波を示している。なお、先行波、遅延波は、到来波とも称する。図１８の斜線部は、所望ＯＦＤＭシンボルの前のＯＦＤＭシンボルの成分を示す。
【０００５】
遅延波ｓ３およびｓ４については、その前にある斜線部に示されるように、所望ＯＦＤＭシンボルの前のＯＦＤＭシンボルがＦＦＴ区間ｔ４内に入っており、シンボル間干渉（ＩＳＩ：Ｉｎｔｅｒ−Ｓｙｍｂｏｌ  Ｉｎｔｅｒｆｅｒｅｎｃｅ）が生じる。また、遅延波ｓ３では、区間ｔ４に所望ＯＦＤＭシンボルと所望ＯＦＤＭシンボルの前のＯＦＤＭシンボルとの切れ目が入ることになり、キャリア間干渉（ＩＣＩ：Ｉｎｔｅｒ−Ｃａｒｒｉｅｒ  Ｉｎｔｅｒｆｅｒｅｎｃｅ）が生じる。遅延波ｓ４においても、同様に、区間ｔ４に所望ＯＦＤＭシンボルと所望ＯＦＤＭシンボルの前のＯＦＤＭシンボルとの切れ目が入り、キャリア間干渉が生じる。
【０００６】
これらの、シンボル間干渉、キャリア間干渉による特性劣化を改善するための一手法が、下記の特許文献１、特許文献２において提案されている。これらの技術では、受信装置において、一度復調動作を行った後に、誤り訂正結果（ＭＡＰ（Maximum A posteriori Probability：最大事後確率）復号器出力）を利用し、上記シンボル間干渉成分および上記キャリア間干渉成分を含む所望以外のサブキャリアの複製信号（干渉レプリカ信号）を作成した後、これを受信信号から除去した信号に対し、ＭＭＳＥ（最小平均二乗誤差）規範に基づいた信号等化処理、再度復調動作を行う過程を繰り返し行うことにより、シンボル間干渉、キャリア間干渉による特性劣化の改善を行っている。このように、干渉除去、等化処理及び復号処理を、軟判定結果をやり取りしながら繰り返し行う技術をターボ等化と呼ぶ。
【０００７】
ところで、無線通信システムにおいて、ＯＦＤＭを用いた多元接続として、ＯＦＤＭＡ（Orthogonal Frequency Division Multiple Access：直交周波数分割多元接続）がある（例えば、下記非特許文献１参照）。
【０００８】
図１９は、ＯＦＤＭＡにおいて、複数のサブキャリアと複数のＯＦＤＭシンボルにユーザ１、ユーザ２及びユーザ３のデータ変調シンボルを割り当てる図であり、縦軸が周波数、横軸が時間である。ここで、一つのサブキャリアと一つのＯＦＤＭシンボルとからなる単位をリソースエレメントと呼び、図１９では、送信機は３３６個のリソースエレメントに配置されたデータの塊（送信フレームと呼ぶ。）で受信機にデータを送信する。
【０００９】
図１９においては、ユーザ１及びユーザ２は各々、１２個のサブキャリアと７個のＯＦＤＭシンボルの８４個のリソースエレメントを占有する。ユーザ３は１２個のサブキャリアと１４個のＯＦＤＭシンボルからなる１６８個のリソースエレメントを占有する。各ユーザが占有した各サブキャリアには、これらのユーザが送信するデータ変調シンボルが配置される。ここでは、各ユーザは、上記占有するリソースエレメントを一つのブロックとして、送信する情報ビットを符号化している。送信する上記情報ビットを符号化する単位を符号化ブロック（コーディングブロック）、情報ビットを符号化した信号を符号化ビットと呼ぶ。  そして、ユーザ１およびユーザ２の符号化ブロックは８４個のリソースエレメントに配置される情報ビットからなり、ユーザ３の符号化ブロックは１６８個のリソースブロックに配置される情報ビットからなる。つまり、図１９で示したＯＦＤＭＡは、送信フレームが複数の符号化ブロックから構成され、さらに、同一のＯＦＤＭシンボルを構成するサブキャリアに異なる符号化ブロックの符号化ビットから生成したデータ変調シンボルを割り当てられていることとなる。
【００１０】
このＯＦＤＭＡにおいても、ガードインターバル区間を越える遅延波が存在すると、シンボル間干渉、キャリア間干渉が発生し、各ユーザの伝送特性が劣化する。
【先行技術文献】
【特許文献】
【００１１】
【特許文献１】特開２００４−２２１７０２号公報
【特許文献２】ＷＯ２００７／１３６０５６号公報
【非特許文献】
【００１２】
【非特許文献１】“３ｒｄ  Ｇｅｎｅｒａｔｉｏｎ  Ｐａｒｔｎｅｒｓｈｉｐ  Ｐｒｏｊｅｃｔ；  Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）”３ＧＰＰ  ＴＳ  ３６．２１１  Ｖ８．３．０，２００８年５月
【発明の概要】
【発明が解決しようとする課題】
【００１３】
上記の特許文献１あるいは特許文献２に記載の従来のターボ等化処理では、同一のＯＦＤＭシンボルを構成する全てのサブキャリアに配置されたデータ変調シンボルに対するレプリカを用いてターボ等化処理を行っている。したがって、従来のターボ等化処理では、送信フレームが複数の符号化ブロックから構成されたＯＦＤＭＡ信号を受信した場合、所望の符号化ブロックだけでなく、非所望の符号化ブロックに対しても符号化ビットＬＬＲに代表される誤り訂正復号結果を算出することが必要となる。例えば、ユーザ１の受信装置が、図１２に記載のように、３つのユーザが割り当てられたＯＦＤＭＡ信号を受信し、第２のＯＦＤＭシンボルに対してターボ等化処理を行う場合、上記第２のＯＦＤＭシンボルに対するシンボル間干渉レプリカを生成するためには、ユーザ１に対する信号の復号結果と非所望信号であるユーザ３に対する信号の復号結果から変調シンボルレプリカを生成する必要がある。結果として、他のユーザの信号（非所望の符号化ブロック）に対する誤り訂正復号処理が、受信機の信号処理の効率を低下させるという問題を生じさせることになる。
【００１４】
本発明は、上記問題に鑑みてなされたものであり、その目的は、ガードインターバル区間を越える遅延波が存在する環境下で複数のユーザのデータ信号が配置されたマルチキャリア信号を受信した場合において、複数のユーザの符号化ブロックのビット数が異なることによりターボ等化処理時間を延長させることなく、シンボル間干渉、サブキャリア間干渉を除去し、伝送特性を改善できる受信装置および受信方法を提供することにある。
【課題を解決するための手段】
【００１５】
本発明の一観点によれば、マルチキャリア変調された信号を受信する受信部と、復号処理結果を用いて生成した変調シンボルレプリカを前記受信部が受信した信号から除去して出力する干渉除去部と、前記干渉除去部により出力した信号を復号処理して復号処理結果を出力する信号検出部と、を備え、前記干渉除去部は、前記変調シンボルレプリカを、前記受信部が受信した信号を構成するデータ変調シンボルの一部に対する復号処理結果を用いて生成することを特徴とする受信装置が提供される。前記干渉除去部は、前記受信部が受信した信号を構成するデータ変調シンボルの一部に対する変調シンボルレプリカを用いて干渉除去することが好ましい。
【００１６】
前記受信部は、複数の符号化ブロックの符号化ビットで生成したデータ変調シンボルから構成されるマルチキャリア変調した信号を受信し、前記干渉除去部は、前記変調シンボルレプリカを、前記符号化ブロックのうち少なくとも１つの符号化ブロックに対するデータ変調シンボルの復号処理結果を用いて生成することが好ましい。前記マルチキャリア変調した信号は、前記符号化ブロックがユーザ毎に割り当てられている信号であることが好ましい。前記信号検出部は、前記干渉除去部により出力した信号のうち、所望のデータ変調シンボルのみに対する復号処理を行いその復号処理結果を出力することが好ましい。
【００１７】
前記干渉除去部により出力した信号を復調する復調部を備え、前記干渉除去部は、前記変調シンボルレプリカを、前記受信部が受信した信号を構成するデータ変調シンボルの一部のデータ変調シンボルの復号処理結果とその他の一部のデータ変調シンボルの前記復調部の復調処理結果を用いて生成することが好ましい。前記受信部は、複数の符号化ブロックの符号化ビットで生成したデータ変調シンボルから構成されるマルチキャリア変調した信号を受信し、前記干渉除去部は、前記変調シンボルレプリカを、複数の符号化ブロックのうち少なくとも１つの符号化ブロックに対する変調シンボルの復号処理結果と前記符号化ブロックを除く少なくとも１つの符号化ブロックに対するデータ変調シンボルの復調結果を用いて生成することが好ましい。
【００１８】
また、前記干渉除去部は、復号処理結果を用いて変調シンボルレプリカを生成するシンボルレプリカ生成部と、前記変調シンボルレプリカと伝搬路推定値を用いて干渉レプリカを生成する干渉レプリカ生成部と、前記受信部が受信した信号から前記干渉レプリカを減算する減算部と、を備えることが好ましい。
【００１９】
本発明の他の観点によれば、マルチキャリア変調した信号を受信する第１のステップと、復号処理結果を用いて生成した変調シンボルレプリカを前記第１のステップにより受信した信号から除去して出力する第２のステップと、前記第２のステップにより出力した信号を復号処理して復号処理結果を出力する第３のステップと、を有し、前記第２のステップは、前記変調シンボルレプリカを、受信部が受信した信号を構成するデータ変調シンボルの一部に対する復号処理結果を用いて生成するステップを含むことが好ましい。
【００２０】
また、本発明は、マルチキャリア変調した信号を送信する送信装置と、前記送信装置により送信された信号を受信し復号する受信装置と、を備える通信システムであって、前記受信装置は、前記送信装置により送信された信号を受信する受信部と、復号処理結果を用いて生成した変調シンボルレプリカを前記受信部が受信した信号から除去して出力する干渉除去部と、前記干渉除去部により出力した信号を復号処理して復号処理結果を出力する信号検出部と、を備え、前記干渉除去部は、前記変調シンボルレプリカを、受信部が受信した信号を構成するデータ変調シンボルの一部に対する復号処理結果を用いて生成することを特徴とする通信システムである。
【００２１】
また、本発明は、マルチキャリア変調した信号を送信するステップと、前記送信装置により送信された信号を受信し復号するステップと、を有する通信方法であって、前記受信し復号するステップは、マルチキャリア変調した信号を受信する第１のステップと、復号処理結果を用いて生成した変調シンボルレプリカを前記第１のステップにより受信した信号から除去して出力する第２のステップと、前記第２のステップにより出力した信号を復号処理して復号処理結果を出力する第３のステップと、を有し、前記第２のステップは、前記変調シンボルレプリカを、受信部が受信した信号を構成するデータ変調シンボルの一部に対する復号処理結果を用いて生成すること、を特徴とする通信方法である。
【００２２】
また、本発明は、復号処理結果を用いて生成した変調シンボルレプリカを受信したマルチキャリア変調した信号から除去して出力する干渉除去回路と、前記干渉除去回路により出力した信号を復号処理して復号処理結果を出力する信号検出回路と、少なくとも前記第干渉除去回路に対して制御を行うチップ制御回路を有し、前記干渉除去回路は、前記変調シンボルレプリカを、受信部が受信した信号を構成するデータ変調シンボルの一部に対する復号処理結果を用いて生成する回路を含むことを特徴とする受信回路である。
【００２３】
また、本発明は、上記の通信方法をコンピュータに実行させるためのプログラムであっても良く、当該プログラムを記録するコンピュータ読み取り可能な記録媒体であっても良い。上記プログラムは、インターネットなどの伝送媒体を介して取得したものであっても良い。
【発明の効果】
【００２４】
本発明によれば、ガードインターバル区間を越える遅延波が存在する環境下で複数の符号化ブロックのデータ信号が配置されたマルチキャリア信号を受信した場合、所望の符号化ブロックの以外の符号化ブロックに対する干渉レプリカ生成の負荷を削減することができ、受信機の信号処理の効率低下を改善することができる。
【００２５】
特に、送信フレーム内に配置された非所望の符号化ブロックの符号化ビットから生成したデータ変調シンボルの配置に依存することなく、所望の符号化ブロックに対するシンボル間干渉、サブキャリア間干渉をターボ等化処理により効率的に除去し、伝送特性を改善できる。また、非所望符号化ブロックの符号化ビット数に依存することなく、所望の符号化ブロックの符号化ビット数に基づいてターボ等化処理を行うことができ、伝送特性を改善することができる。
【図面の簡単な説明】
【００２６】
【図１】本発明の第１の実施形態に係る送信装置１００の一構成例を示す機能ブロック図である。
【図２】シンボル生成部から入力されるユーザｎのデータ変調シンボルとパイロットシンボルとをＩＦＦＴ部の入力ポイントにマッピングした例を示す図である。
【図３】本発明の第１の実施形態に係る受信装置の一構成例を示す概略ブロック図である。
【図４】干渉除去部の一構成例を示す機能ブロック図である。
【図５】レプリカ生成部の一構成例を示す機能ブロック図である。
【図６】受信装置の動作を説明するフローチャート図である。
【図７】本発明の第２の実施形態に係る受信装置の一構成例を示す機能ブロック図である。
【図８】干渉除去部の一構成例を示す機能ブロック図である。
【図９】レプリカ生成部の一構成例を示す機能ブロック図である。
【図１０】受信装置の動作を説明するフローチャート図である。
【図１１】複数ユーザのデータ変調シンボルとパイロットシンボルがリソースエレメントにマッピングされた別の例を示す図である。
【図１２】複数ユーザのデータ変調シンボルとパイロットシンボルがリソースエレメントにマッピングされた別の例を示す図である。
【図１３】本発明の第３の実施形態に係る送信装置の一構成例を示す機能ブロック図である。
【図１４】シンボル生成部から入力されるユーザ１のデータ変調シンボルとパイロットシンボルとをＩＦＦＴ部の入力ポイントにマッピングした例を示す図である。
【図１５】本発明の第３の実施形態に係る受信装置の一構成例を示す機能ブロック図である。
【図１６】干渉除去部の一構成例を示す機能ブロック図である。
【図１７】受信装置の動作を説明するフローチャート図である。
【図１８】マルチパス環境を経て送信装置から受信装置に到達する信号の概要を示す図である。
【図１９】ＯＦＤＭＡにおいて、複数のサブキャリアと複数のＯＦＤＭシンボルにユーザ１、ユーザ２及びユーザ３のデータ変調シンボルを割り当てる図であり、縦軸が周波数、横軸が時間である。
【発明を実施するための形態】
【００２７】
以下、本発明の実施の形態について、詳細に説明する。
【００２８】
（第１の実施形態）
本発明の実施形態では、送信装置が、直交するマルチキャリアにおいて複数のユーザが周波数多元接続されているＯＦＤＭＡの信号を送信する場合を例にして説明する。
【００２９】
本発明の第１の実施形態による通信システムは、複数ユーザの信号が割当てられたＯＦＤＭＡ信号（マルチキャリア変調した信号）を送信する送信装置１００と送信装置１００が送信した信号を受信する受信装置２００とから構成される。以下では、送信装置１００はセルラーシステムの下りリンクにおける基地局に設置され、受信装置２００は、基地局にリンクしている複数の移動端末のうちの１つの移動端末に搭載されている場合を例にして説明する。
【００３０】
図１は、本発明の第１の実施形態に係る送信装置１００の一構成例を示す機能ブロック図である。送信装置１００は、シンボル生成部１０２−１〜１０２−Ｎ、ＩＦＦＴ（逆高速フーリエ変換）部１０３、ＧＩ挿入部１０４、送信部１０５及びパイロット生成部１０６を含んで構成され、送信部１０５にアンテナ部１０１が接続されている。尚、Ｎは、送信装置１００が配置された基地局にリンクすることができるユーザ数である。
【００３１】
シンボル生成部１０２−ｎ（ｎ＝１、２、・・・、Ｎ）は、基地局の送信装置１００からユーザｎに送信する信号を生成する。シンボル生成部１０２−ｎは、符号部１１１−ｎ、インターリーブ部１１２−ｎ、変調部１１３−ｎを備えている。
【００３２】
シンボル生成部１０２−ｎには、ＭＡＣ（Media Access Control、媒体アクセス制御）部等（図１には示さない。ＭＡＣ部等とは、ＭＡＣ層、ネットワーク層などの上位層に位置する機能をいう。）から入力されたユーザｎに送信する情報ビットが入力される。尚、情報ビットとは圧縮符号化された音声信号、映像信号、その他のデータ信号を「０」、「１」で表した信号である。符号部１１１−ｎは、入力されたユーザｎの情報ビットに対して、ターボ符号、ＬＤＰＣ（Low Density Parity Check：低密度パリティ検査）、畳込み符号などのいずれかの誤り訂正符号化処理を行う。すなわち、ユーザ毎に異なる符号化ブロックで符号化している。
【００３３】
インターリーブ部１１２−ｎは、周波数選択性フェージングによる受信電力の落ち込みに起因するバースト誤りが生ずるのを改善するために、符号部１１１−ｎから出力されるユーザｎの符号化ビットの並び順を入れ替える。変調部１１３−ｎは、インターリーブ部１１２−ｎが出力するユーザｎの符号化ビットをマッピングし、ＢＰＳＫ（Ｂｉｎａｒｙ  Ｐｈａｓｅ  Ｓｈｉｆｔ  Ｋｅｙｉｎｇ：２相位相偏移変調）、ＱＰＳＫ（Ｑｕａｄｒａｔｕｒｅ  Ｐｈａｓｅ  Ｓｈｉｆｔ  Ｋｅｙｉｎｇ：４相位相偏移変調）、１６ＱＡＭ（１６  Ｑｕａｄｒａｔｕｒｅ  Ａｍｐｌｉｔｕｄｅ  Ｍｏｄｕｌａｔｉｏｎ：１６値直交振幅変調）、６４ＱＡＭ（６４  Ｑｕａｄｒａｔｕｒｅ  Ａｍｐｌｉｔｕｄｅ  Ｍｏｄｕｌａｔｉｏｎ：６４値直交振幅変調）などのデータ変調シンボルを生成する。
【００３４】
パイロット生成部１０６は、受信装置において伝搬路を推定できるパイロットシンボルを生成する。パイロットシンボルは、送信装置１００が設置された基地局にリンクしている移動端末（ユーザ）に共通でもよいし、ユーザ毎に規定されていてもよい。パイロットシンボルを構成する符号系列は、アダマール符号、ＣＡＺＡＣ（Constant Amplitude Zero Auto-Correlation）系列などの直交した系列であることが好ましい。
【００３５】
ＩＦＦＴ部１０３は、ＭＡＣ部等（図示しない）から通知される信号割当情報に基づいて、シンボル生成部１０２−ｎから入力されるユーザｎのデータ変調シンボルとパイロットシンボルとをＩＦＦＴ入力ポイントにマッピングし（サブキャリアマッピング）、ＩＦＦＴ処理を行うことで、それぞれのシンボルを周波数領域の信号から時間領域の信号に変換する。尚、以下では、説明の簡素化のため、ＩＦＦＴポイント数とサブキャリア数が同一として説明するが、これに限定する趣旨ではない。ＩＦＦＴポイント数が、サブキャリア数が以下でもよいし、サブキャリア数がＩＦＦＴポイント数以上であれば、ＩＦＦＴ部を複数個備えることができる。
【００３６】
図２は、シンボル生成部１０２−ｎから入力されるユーザｎのデータ変調シンボルとパイロットシンボルとをＩＦＦＴ部１０３の入力ポイントにマッピングした例を示す図である。図２は、２４個のサブキャリア数と１４個のＯＦＤＭシンボルから構成された送信フレームに３つのユーザ及びパイロットシンボルを割当てた場合を示している。第１番目のＯＦＤＭシンボルの第ｋ番目のサブキャリアのリソースエレメントを（ｋ、１）とする。
【００３７】
図２では、パイロットシンボルをリソースエレメント（Ｋｐ、Ｌｐ）＝（１、１）、（７、１）、（１３、１）、（１９、１）、（４、５）、（１０、５）、（１６、５）、（２２、５）、（１、８）、（７、８）、（１３、８）、（１９、８）、（４、１２）、（１０、１２）、（１６、１２）、（２２、１２）に配置している（斜線のリソースエレメントが相当する）。ユーザ１に送信するデータ変調シンボルは、リソースエレメント（Ｋ１、Ｌ１）、（Ｋ１＝１・・・１２、Ｌ１＝１・・・７、但し、パイロットシンボルを配置したリソースエレメントは除く。）に配置される。ユーザ２に送信するデータ変調シンボルはリソースエレメント（Ｋ２、Ｌ２）、（Ｋ２＝１、…、１２、Ｌ２＝８、…、１４、ただし、パイロットシンボルを配置したリソースエレメントは除く。）に配置される。ユーザ３に送信するデータ変調シンボルはリソースエレメント（Ｋ３、Ｌ３）、（Ｋ３＝１３、…、２４、Ｌ３＝１、…、１４、但し、パイロットシンボルを配置したリソースエレメントは除く。）に配置される。従って、例えば、第１のＯＦＤＭシンボルに対するＩＦＦＴ処理では、ＩＦＦＴ入力ポイントの第１、７、１３、１９番目にパイロットシンボルをマッピングし、第１から第１２番目まで（パイロットシンボルがマッピングしたＩＦＦＴ入力ポイントは除く。）にユーザ１のデータ変調シンボルをマッピングし、第１３から第２４番目まで（パイロットシンボルがマッピングしたＩＦＦＴ入力ポイントは除く。）にユーザ２のデータ変調シンボルをマッピングする。
【００３８】
各ユーザのデータ変調シンボルをマッピングするリソースエレメントは信号割当情報により通知される。信号割当情報が通知するリソースエレメントは、送信装置１００を備えた基地局と各ユーザの移動端末との間の伝搬路状況及び基地局が各ユーザの移動端末へ送信するデータ量などに基づいて決定される。このデータ変調シンボルをマッピングするリソースエレメントを決定することをスケジューリングと呼ぶ。
【００３９】
信号割当情報は、該ユーザのデータ変調シンボルが割当られたＯＦＤＡシンボルと同じＯＦＤＭシンボル、又は該ユーザのデータ変調シンボルが割当られた送信フレームと同じ送信フレームでユーザに通知してもよいし、異なるＯＦＤＭシンボル又は異なる送信フレームで通知しても良い。
【００４０】
なお、図２では、ＯＦＤＭＡを構成するリソースエレメントにユーザに送信するデータ変調シンボル及びパイロットシンボルをマッピングしているが、各ユーザに対する制御信号を含んでもよい。
【００４１】
図１に戻り、ＧＩ挿入部１０４は、ＩＦＦＴ部１０３が変換した時間領域の信号にガードインターバル（ＧＩ）を付加する。例えば、ＩＦＦＴ部１０３が出力する時間領域の信号（有効シンボル）の後半の一部をコピーし、有効シンボルの先頭に付加する。ＧＩを付加した有効シンボルをＯＦＤＭシンボルと呼ぶ。ＧＩ挿入部１０４が出力する信号をｓ（ｔ）とすると、次式（１）で表せる。
【００４２】
【数１】
2011097125.tif 000003
ただし、ＮｆはＩＦＦＴポイント数、ｃｋ，１は第１番目のＯＦＤＭシンボルの第ｋサブキャリアに割り当てられたシンボル、Δｆはサブキャリア間隔、ＴｓはＯＦＤＭシンボル長（ＧＩ長を含む）、ｊは虚数単位である。
【００４３】
送信部１０５は、ＧＩ挿入部１０４が出力するＯＦＤＭシンボルをアナログ信号に変換し（Digital to Analog変換し）、アナログ信号に変換された信号に対して帯域制限を行うフィルタリング処理を行い、さらにフィルタリング処理された信号を送信可能な周波数帯域にアップコンバートし、アンテナ部１０１を介して送信する。この送信装置１００が出力する信号をＯＦＤＭＡ信号と呼ぶ。
【００４４】
上述では、本実施の形態における受信装置２００が受信するＯＦＤＭＡ信号に複数ユーザのデータ変調シンボルが割り当てられ、データ変調シンボルはユーザ毎に情報ビットを符号化した符号化ビットで構成されている場合を例にして説明したが、データ変調シンボルを同一ユーザに対する情報ビットを複数の符号部で符号化した符号化ビットで構成する場合においても適用可能である。すなわち、図２におけるユーザ１〜ユーザ３各々が占有したリソースエレメントをユーザ１が全て占有し、ユーザ１が占有したリソースエレメントに割り当てるデータ変調シンボルを構成する情報ビットが（Ｋ１、Ｌ１）、（Ｋ２、Ｌ２）、（Ｋ３、Ｌ３）に分けて符号化されている場合においても本実施の形態の技術を適用することが可能である。
【００４５】
図３は、本発明の第１の実施形態に係る受信装置２００の一構成例を示す概略ブロック図である。受信装置２００は、送信装置１００が送信する信号を受信するユーザ１の移動端末に搭載されているものとして説明する。尚、ユーザｎ（ｎ＝２、・・・、Ｎ）の移動端末に搭載される受信装置も、少なくとも同様の機能を有することが可能である。
【００４６】
受信装置２００は、受信部２０２、受信信号記憶部２０３、干渉除去部２０４、ＧＩ除去部２０５、ＦＦＴ部２０６、伝搬路補償部２０７、サブキャリアデマッピング部２１０、信号検出部２０８−１、伝搬路推定部２０９を具備し、受信部２０２にアンテナ部２０１が接続されている。また、上記受信装置２００の一部あるいは全部をチップ化して集積回路となる場合、各機能ブロックに対して制御を行うチップ制御回路２１１を有する。
【００４７】
受信装置２００において、受信部２０２は、アンテナ部２０１を介して送信装置１００から送信されたＯＦＤＭＡ信号を受信すると、信号検出処理などのデジタル信号処理が可能な周波数帯へダウンコンバートし、さらにスプリアスを除去するフィルタリング処理を行い、フィルタリング処理した信号をアナログ信号からデジタル信号に変換（Analog to Digital変換）を行って、受信信号記憶部２０３、干渉除去部２０４及び伝搬路推定部２０９に出力する。
【００４８】
伝搬路推定部２０９は、送信装置１００と受信装置２００との間におけるフェージングなどによる振幅と位相の変動を推定する伝搬路推定を行い、伝搬路推定結果である伝搬路推定値を干渉除去部２０４と伝搬路補償部２０７とに出力する。伝搬路推定は、例えば、受信部２０２が出力する信号に含まれる既知の信号であるパイロットシンボルを用いて行うことができる。図２に記載したＯＦＤＭＡ信号を受信した場合、受信したＯＦＤＭＡ信号を周波数領域に変換した信号であって、パイロットシンボルを割り当てたサブキャリアの信号（リソースエレメント（Ｋｐ、Ｌｐ）＝（１、１）、（７、１）、（１３、１）、（１９、１）、（４、５）、（１０、５）、（１６、５）、（２２、５）、（１、８）、（７、８）、（１３、８）、（１９、８）、（４、１２）、（１０、１２）、（１６、１２）、（２２、１２）のうち１または２以上の信号成分）を用いて周波数応答を算出する。パイロットシンボルを配置したサブキャリア以外のサブキャリアの周波数応答は、パイロットシンボルを配置したサブキャリアの周波数応答を用いて、線形補間、ＦＦＴ補間などの補間技術により算出することができる。
【００４９】
なお、伝搬路推定は、信号検出部２０８−１が出力する復号結果を用いる繰り返し伝搬路推定を適用することも可能である。
【００５０】
受信信号記憶部２０３は、受信部２０２が出力する信号を記憶する。また、干渉除去部２０４の干渉除去処理において、繰り返し処理が行われる場合、格納しているこの信号を出力する。
【００５１】
干渉除去部２０４は、伝搬路推定部２０９から出力される伝搬路推定値、信号検出部２０８−１から出力される復号結果を用いて、受信部２０２あるいは受信信号記憶部２０３から出力される信号から、干渉成分を除去する処理を繰り返し行う。具体的には、信号検出部２０８−１が出力する復号後の符号化ビットの対数尤度比ＬＬＲ（Log Likelihood Ratio）を用いて、受信した信号の送信元である送信装置１００が自受信装置宛に送信したであろう信号レプリカを生成する。すなわち、受信装置２００では送信装置１００が送信したユーザ１に対する送信信号レプリカを生成する。さらに、この送信信号レプリカと伝搬路推定部２０９からの伝搬路推定値を用いてユーザ１に対する干渉レプリカを生成し、受信部２０２あるいは受信信号記憶部２０３から出力される信号から減算する。したがって、干渉除去部２０４は、受信したＯＦＤＭＡ信号を構成するデータ変調シンボルのうち、一部のデータ変調シンボルに対する復号処理結果を用いて生成した干渉レプリカを除去することで、干渉成分を除去する（詳細は後述する）。
【００５２】
ＧＩ除去部２０５は、干渉除去部２０４から出力される干渉成分レプリカを除去した信号のうち、遅延波による歪を回避するために送信装置１００で付加されたガードインターバル区間を除去する。ＦＦＴ部２０６は、ＧＩ除去部２０５がガードインターバル区間を除去した信号を時間領域信号から周波数領域信号に変換するフーリエ変換の処理を行う。伝搬路補償部２０７は、伝搬路推定部２０９による伝搬路推定値を用いてＺＦ（Ｚｅｒｏ  Ｆｏｒｃｉｎｇ）、ＭＭＳＥ（Ｍｉｎｉｍｕｍ  Ｍｅａｎ  Ｓｑｕａｒｅ  Ｅｒｒｏｒ）などによりフェージングによる伝搬路歪を補正する重み係数を算出し、この重み係数をＦＦＴ部２０６からの周波数領域信号に乗算して伝搬路補償をする。この処理を等化処理とも呼ぶ。
【００５３】
サブキャリアデマッピング部２１０は、伝搬路補償部２０７が出力する信号に対してデマッピング処理を行う。具体的には、伝搬路補償部２０７が出力する信号のうち、所望ユーザ（ユーザ１）がマッピングされているサブキャリアの信号のみを抽出する。なお、受信機２００は、受信したＯＦＤＭＡ信号のサブキャリアにマッピングされている所望ユーザのデータ変調シンボル若しくはパイロットシンボルの配置（情報割当情報）を、制御信号による通知などにより知ることができる。
【００５４】
信号検出部２０８−１は、伝搬路補償部２０７が出力する信号のうち、所望ユーザ（ユーザ１）がマッピングされているサブキャリアの信号のみを抽出し、復調、復号処理を行い、ユーザ１の情報ビットを取得する。また、ユーザ１の情報ビットに対する符号化ビットＬＬＲのみを干渉除去部２０４に出力する。信号検出部２０８−１は、復調部２２１−１、デインターリーブ部２２２−１、復号部２２３−１を備える。復調部２２１−１は、伝搬路補償部２０７が出力する信号（等化後信号）のうち、所望ユーザ宛のデータ変調シンボルがマッピングされたリソースエレメントの等化後信号を抽出し、前記抽出した等化後信号に対して復調処理を行い、軟判定値（符号化ビットＬＬＲ）を出力する。例えば、図２で記載したデータ変調シンボル割当ての場合、リソースエレメント（Ｋ１、Ｌ１）、（Ｋ１＝１・・・１２、Ｌ１＝１・・・７、ただし、パイロットシンボルを配置したリソースエレメントは除く。）に対応する等化後信号を抽出し、復調処理を行う。
【００５５】
復調部２２１−１の処理を、所望ユーザ宛のデータ変調シンボルがＱＰＳＫ変調の場合を例として説明する。送信側で送信されたＱＰＳＫシンボルをＸとし、受信側において復調部２２１に入力されるシンボルをＸｃとして説明する。Ｘを構成しているビットをｂ０、ｂ１（ｂ０、ｂ１＝±１）とすると、Ｘは、下記の式（２）で表せる。ただし、ｊは虚数単位を表す。そして、Ｘの受信側における推定値Ｘｃからビットｂ０、ｂ１の対数尤度比ＬＬＲであるλ（ｂ０）、λ（ｂ１）は下記の式（３）により求められる。
【００５６】
【数２】
2011097125.tif 000004
【００５７】
【数３】
2011097125.tif 000005
但し、Ｒｅ（Ｘｃ）は複素数の実部を表す。μは伝搬路補償後の等価振幅であり、例えば、第１ＯＦＤＭシンボルの第ｋサブキャリアにおける伝搬路推定値をＨ１（ｋ）、乗算したＭＭＳＥ基準の伝搬路補償重みをＷ１（ｋ）とすると、μはＷ１（ｋ）・Ｈ１（ｋ）となる。
【００５８】
またλ（ｂ１）は、式（３）、すなわちλ（ｂ０）を求める式において、Ｘｃの実部と虚部を置き換えて求める。なお、１６ＱＡＭなどの他の変調が施されたデータに対しても同様の原理に基づいて算出可能である。また、復調部２２２は、軟判定結果ではなく硬判定結果を算出するようにしてもよい。
【００５９】
デインターリーブ部２２２−１は、送信元の送信装置１００のインターリーブ部１１２−１が施したインターリーブのパターンに対応するビット配置の並べ替え、すなわちインターリーブのパターンの逆操作となるビット配置並べ替えを、復調部２２１−１による軟判定結果のデータ系列に対して行う。
【００６０】
復号部２２３−１は、送信元である送信装置１００が施したターボ符号化、畳み込み符号化などの誤り訂正符号化に対する誤り訂正復号処理をデインターリーブ部２２２−１からの出力信号に対して行い、符号化ビットのＬＬＲ（対数尤度比）などの軟判定出力結果を算出し、所望ユーザの軟判定結果を干渉除去部２０４に入力する。
【００６１】
図４は、干渉除去部２０４の一構成例を示す機能ブロック図である。干渉除去部２０４は、減算部２３１、レプリカ生成部２３２を具備する。レプリカ生成部２３２は、伝搬路推定値および所望ユーザのデータ信号に対する軟判定値（符号化ビットの対数尤度比ＬＬＲ）を用いて、干渉成分のレプリカ（干渉レプリカ）を生成する。具体的には、信号検出部２０８−１が出力する復号後の符号化ビットの対数尤度比ＬＬＲを用いて、受信した信号の送信元である送信装置１００が自受信装置宛に送信したであろう信号レプリカを生成する。すなわち、受信装置２００では送信装置１００が送信したであろうユーザ１に対する送信信号レプリカを生成する。さらに、この送信信号レプリカと伝搬路推定部２０９からの伝搬路推定値を用いて干渉レプリカを生成する。減算部２３１は、上記干渉レプリカを、受信部２０２あるいは受信信号記憶部２０３から入力される信号から減算する。受信部２０２あるいは受信信号記憶部２０３から入力される信号をｒ（ｔ）、第ｉ回目の繰り返し処理における干渉レプリカをｒ＾ｉ（ｔ）とすると、減算部が出力する信号ｒ〜ｉ（ｔ）は、下記式（４）で表せる。なお、「ｒ＾」、「ｒ〜」という表記は、式（４）に表わされているように文字「ｒ」の上に「＾」、「〜」が記載されたものを意味し、後述する「ｓ＾」、「ｃ＾」、「ｈ＾」も同様である。
【００６２】
【数４】
2011097125.tif 000006
ただし、初回処理（ｉ＝０）の場合は、ｒ〜ｉ（ｔ）＝ｒ（ｔ）である。
【００６３】
図５は、レプリカ生成部２３２の一構成例を示す機能ブロック図である。レプリカ生成部２３２は、インターリーブ部２４１−１、シンボルレプリカ生成部２４２−１、ＩＦＦＴ部２４３、ＧＩ挿入部２４４、干渉レプリカ生成部２４５を具備する。
【００６４】
インターリーブ部２４１−１は、信号検出部２０８−１が出力する復号後の符号化ビットの対数尤度比ＬＬＲを、送信装置１００がデータ変調を施した符号化したデータ信号と同じ並び順に並べ替える。すなわち、送信装置１００のインターリーブ部１１２−１と同じインターリーブパターンで信号検出部２０８−１が出力する復号後の符号化ビットの対数尤度比ＬＬＲをインターリーブする。すなわち、信号検出部２０８−１が備えるデインターリーブ部２２３−１と逆の並べ替えを行う。
【００６５】
シンボルレプリカ生成部２４２−１は、インターリーブ部２４１−１が出力する符号化ビットの対数尤度比ＬＬＲを用いて所望ユーザの信号に対するデータ変調シンボルのレプリカ（変調シンボルレプリカ）を生成する。例えば、シンボルレプリカ生成部２４２−１は、送信装置１００の変調部１１３−１の変調方式がＱＰＳＫ変調の場合、ＱＰＳＫ変調シンボルを構成するビットｂ０、ｂ１の対数尤度比をλ（ｂ０），λ（ｂ１）としたとき、下記の式（５）で表されるＱＰＳＫの変調シンボルのレプリカシンボルを生成する。なお、シンボルレプリカ生成部２４２−１は、１６ＱＡＭなどの他の変調の場合も、同様の原理で変調シンボルレプリカを生成する。
【００６６】
【数５】
2011097125.tif 000007
ＩＦＦＴ部２４３は、シンボルレプリカ生成部２４２が出力する変調シンボルレプリカを、受信したＯＦＤＭＡ信号において上記変調シンボルレプリカに対応するデータ変調シンボル（ユーザ１のデータ変調シンボル）が割り当てられているリソースエレメントに該当するＩＦＦＴ入力ポイントにマッピングし、ＩＦＦＴ処理を行うことで、所望ユーザの変調シンボルレプリカ（所望ユーザの変調シンボルレプリカ）を周波数領域の信号から時間領域の信号に変換する。また、受信したＯＦＤＭＡ信号において非所望ユーザのデータ変調シンボルが配置されたリソースエレメントに該当するＩＦＦＴ入力ポイントは、ヌルにする（ゼロを配置する）。さらに、ＩＦＦＴ部２４３は、既知の信号であるパイロットシンボルが配置されていたリソースエレメントに該当するＩＦＦＴ入力ポイントに、このパイロットシンボルを配置することが好ましい。
【００６７】
たとえば、受信したＯＦＤＭＡ信号が図２のユーザ割当で各ユーザのデータ変調シンボルが割り当てられている場合に、シンボルレプリカ生成部２４２が出力する変調シンボルレプリカは、リソースエレメント（Ｋ１、Ｌ１）、（Ｋ１＝１…１２、Ｌ１＝１…７、ただし、パイロットシンボルを配置したリソースエレメントは除く。）に該当するＩＦＦＴ入力ポイントに割り当てる。
【００６８】
ＧＩ挿入部２４４は、ＩＦＦＴ部２４３が変換した時間領域の信号にガードインターバル（ＧＩ）を付加する。ＧＩ挿入部２４５が出力する信号レプリカｓ＾ｉ（ｔ）は、下記式（６）で表すことができる。
【００６９】
【数６】
2011097125.tif 000008
但し、ｃ＾ｋ，１は、所望ユーザの変調シンボルレプリカである。なお、パイロットシンボル等の既知のシンボルを含んでもよい。図２に示すユーザ割当の場合、ユーザ１の変調シンボルレプリカｃ＾Ｋ１，Ｌ１を、変調シンボルｃＫ１，Ｌ１が配置されたリソースエレメントのサブキャリア位置に割りつける。また、パイロットシンボルｃ＾Ｋｐ，ＬｐをパイロットシンボルｃＫｐ，Ｌｐが配置されたリソースエレメントのサブキャリア位置に割りつける。これにより、送信信号レプリカの生成が所望ユーザ以外の信号の配置に依存しない。よって、所望ユーザに対するターボ等化処理の処理時間を大きく延長させることなく干渉を除去することが可能となる。
【００７０】
干渉レプリカ生成部２４５は、ＧＩ挿入部２４４が出力する信号と伝搬路推定値を用いて、受信装置２００が受信するＯＦＤＭＡ信号が受けた干渉成分の干渉レプリカを生成する。干渉成分として、シンボル間干渉、キャリア間干渉などがあり、各干渉成分に対して干渉レプリカを生成する。
【００７１】
たとえば、ＯＦＤＭＡ信号がシンボル間干渉を受けている場合、干渉除去部２０４の第ｉ回目の繰り返し処理においてＧＩ挿入部２４４が出力する信号をｓ＾ｉ（ｔ）、伝搬路推定値をｈ＾（ｔ）とすると、干渉レプリカ生成部２４５が生成するシンボル間干渉レプリカｒ＾ｉ（ｔ）（ｔ≦Ｔｓ、ＴｓはＯＦＤＭシンボル長）は、下記式（７）となる。すなわち、干渉レプリカｒ＾ｉは、第ｉ−１回目の繰り返し処理において信号検出部２０８−１が出力する符号化ビットＬＬＲから生成した所望ユーザに対する送信信号レプリカを用いて生成され、受信装置が受信したＧＩを超える遅延時間を有する各遅延波において、ＦＦＴ処理を行うＯＦＤＭシンボルの前のＯＦＤＭシンボルであって、ＦＦＴ処理を行うＯＦＤＭシンボル区間に入り込んだ成分のレプリカを足し合わせたものである。上述の干渉レプリカを減算する処理を、ユーザ１が占有したリソースエレメントにおいておこなうことで、シンボル間干渉を除去する。なお、所望ユーザに対する制御信号、パイロットシンボルへのシンボル間干渉も同様に除去することが可能である。
【００７２】
【数７】
2011097125.tif 000009
ただし、初回処理の場合（ｉ＝０）、ｒ＾０（ｔ）＝０であり、ｈ＾ｄは伝搬路推定値のインパルス応答であって、第ｄパスの複素振幅、ｔは時間、τｄは第ｄパス（第ｄ遅延波）の第１パス（先行波）が届いた時点（ＦＦＴ処理の同期ポイント）からの遅延時間、Ｔｇｉは挿入されているガードインターバル長を示す。なお、ｄはτｄ＞Ｔｇｉを満たす場合とする。
【００７３】
なお、上述では、時間領域の干渉レプリカを受信信号から減算することによりシンボル間干渉の除去を行った場合を示しているが、この場合に限るものではない。例えば、時間領域の干渉レプリカに加え、周波数領域の干渉レプリカを用いてシンボル間干渉の除去を行っても良い。
【００７４】
図６は、受信装置２００の動作を説明するフローチャート図である。受信装置２００は、送信装置１００から送信されたＯＦＤＭＡ信号を受信すると、干渉除去部２０４における繰り返し干渉除去処理において、その繰り返し回数を判定し（Ｓ１０１）、初回処理（ｉ＝０）である場合は、受信したＯＦＤＭＡ信号をそのまま出力する。この信号はＧＩ除去部２０５における処理の後、ＦＦＴ部２０６に入力される。一方、繰り返し処理（ｉ＞０）である場合、第ｉ−１回目の繰り返し処理における所望ユーザに対する復号処理により算出した符号化ビットＬＬＲから生成した干渉レプリカを用いて所望ユーザの信号に対する干渉除去を行う（Ｓ１０２）。
【００７５】
次に、Ｓ１０１およびＳ１０２の処理を行った信号に対して、ＦＦＴ部２０６においてＦＦＴ処理を行い（Ｓ１０３）、周波数領域に変換された信号に対して伝搬路補償部２０７において伝搬路歪の補償（等化処理）を行う（Ｓ１０４）。等化処理を行った周波数領域の信号（等化後信号）から所望ユーザに対する等化後信号を抽出し、復調処理、復号処理を行った後（Ｓ１０５）、干渉除去処理において所定の繰り返し回数が終了した場合（Ｓ１０６のＹＥＳ）、所望の復号処理結果の硬判定した結果をＭＡＣ部等に渡して、処理を終了し次のデータを受信待機する。一方、所定の繰り返し回数が終了していない場合（Ｓ１０６のＮＯ）、所望ユーザのデータ信号の誤りの有無を判定し（Ｓ１０７）、誤りがない場合、所望の復号処理結果の硬判定した結果をＭＡＣ部等に渡して、処理を終了し次のデータを受信待機する。一方、誤りがある場合、復号部２２３−１が出力する符号化ビットＬＬＲを用いて所望ユーザに対する変調シンボルレプリカを生成する（Ｓ１０８）。そして、上記所望ユーザに対する変調シンボルレプリカを用いて干渉レプリカを生成し（Ｓ１０９）、干渉除去部２０４に入力し、再度干渉除去処理を行う（ステップＳ１０１に戻る）。すなわち、予め設定した回数だけ処理が繰り返されるか、または、データ信号の誤りがないと判定されるか、いずれかの条件が満たされるまで処理を繰り返す。
【００７６】
以上のように、本実施形態では、送信装置１００がＯＦＤＭＡ信号を送信し、受信装置２００がガードインターバルを超える長遅延をもってＯＦＤＭＡ信号を受信した場合、一部の復号結果から生成した干渉レプリカを用いて、繰り返し干渉除去処理を行う。
【００７７】
これにより、ＯＦＤＭＡ信号のリソースエレメントに割り当てられている非所望ユーザのリソースエレメントの占有領域に影響されず、所望ユーザのターボ等化処理（繰り返し処理）を行うことができる。したがって、所望ユーザと非所望ユーザのリソースエレメントの占有領域の違いによるターボ等化の処理遅延を抑えることができるという利点がある。
【００７８】
また、ユーザ毎に情報データが符号化され、非所望ユーザが占有するＯＦＤＭシンボル数が、所望ユーザが占有するＯＦＤＭシンボル数よりも多い場合においても、非所望ユーザの復号処理時間に拘束されることなく、所望ユーザに対するターボ等化処理を行うことができる。すなわち、受信装置は、自ユーザの信号に対する復号処理が終了しているにもかかわらず、他ユーザの信号の復号処理が終わっていないという理由で、シンボル間干渉レプリカ生成等の後続する処理を行うことができないという問題の発生を抑えることができる。その結果、所望ユーザの信号に対する最終的な情報データを取得するために要する処理時間が延びることを抑え、消費電力を増加、受信機の効率を悪化させることを抑えることができる。
【００７９】
また、複数のユーザの符号化ブロックのビット数が異なることによりターボ等化処理時間を延長させることなく、シンボル間干渉、サブキャリア間干渉を除去し、伝送特性を改善できる。特に、非所望ユーザの符号化ブロック数が、所望ユーザの符号化ブロックのビット数よりも多い場合においても、所望ユーザの符号化ブロックのビット数を基づいてターボ等化処理を行うことができる。
【００８０】
また、繰り返し処理に与えられた時間が一定に決められている場合、他ユーザの信号の復号処理時間の影響により自ユーザの信号に対するターボ等化の繰り返し回数が減少することを防止するができ、誤り率特性の劣化を抑えることができる。尚、本実施形態では、シンボル間干渉を除去する場合で説明したが、これに限るものではない。例えば、サブキャリア間干渉においても、所望ユーザの信号に対するデータ変調レプリカを用いてサキャリア間干渉の干渉レプリカを生成し、受信信号から除去することができる。また、本実施形態では、同一の送信フレームで、複数のユーザが割当てられている場合で説明したが、ユーザが複数の送信フレームに渡って割り当てられている場合においても適用することができる。
【００８１】
（第２の実施形態）
本発明の第２の実施形態による通信システムは、送信装置１００と送信装置１００が送信したＯＦＤＭＡ信号を受信する受信装置４００とから構成される。以下では、受信装置４００について説明する。
【００８２】
図７は、本発明の第２の実施形態に係る受信装置４００の一構成例を示す機能ブロック図である。受信装置４００は、送信装置１００が送信する信号を受信するユーザ１の移動端末に搭載されているとして説明する。なお、ユーザｎ（ｎ＝１、２、・・・、Ｎ）の移動端末に搭載される受信装置も、少なくとも同様の機能を有することが可能である。
【００８３】
受信装置４００は、受信部２０２、受信信号記憶部２０３、干渉除去部４０４、ＧＩ除去部２０５、ＦＦＴ部２０６、伝搬路補償部２０７、サブキャリアデマッピング部２１０、信号検出部２０８−１、伝搬路推定部２０９、復調部２２１−２〜２２１−Ｎを具備し、受信部２０２にアンテナ部２０１が接続されている。また、上記受信装置４００の一部あるいは全部をチップ化して集積回路となる場合、各機能ブロックに対して制御を行うチップ制御回路２１１を有する。
【００８４】
第１の実施形態の受信装置２００と同等の機能を有する構成要素には同一の符号を付与している。受信装置４００は、受信装置２００に対して、干渉除去部２０４が干渉除去部４０４に替わり、復調部２２１−２〜復調部２２１−Ｎが追加された点で異なる。以下では、主に、受信装置２００と異なる機能を有する構成要素について説明する。
【００８５】
干渉除去部４０４は、繰り返し処理（ｉ＞０）においては、信号検出部２０８−１、復調部２２１−１〜復調部２２１−Ｎ及び伝搬路推定部２０９から出力される信号を用いて干渉除去処理を行う。
【００８６】
図８は、干渉除去部４０４の一構成例を示す機能ブロック図である。干渉除去部４０４は、減算部２３１、レプリカ生成部４３２を具備する。レプリカ生成部４３２は、復号部２２３−１が出力したユーザ１の復号後の符号化ビットＬＬＲ、復調部２２１−２〜復調部２２１−Ｎの復調後の符号化ビットＬＬＲを用いて干渉レプリカを生成する。減算部２３１はこの干渉レプリカを受信部２０２あるいは受信信号記憶部２０３から入力される信号から減算する。
【００８７】
図９は、レプリカ生成部４３２の一構成例を示す機能ブロック図である。レプリカ生成部４３２は、インターリーブ部２４１−１、シンボルレプリカ生成部２４２−１、シンボルレプリカ生成部２４２−２〜２４２−Ｎ、ＩＦＦＴ部２４３、ＧＩ挿入部２４４、干渉レプリカ生成部２４５を具備する。
【００８８】
シンボルレプリカ生成部２４２−１は、復号部２２３−１が出力する復号後の符号化ビットＬＬＲをインタリーブ部２４１−１でインターリーブした符号化ビットＬＬＲを用いて、ユーザ１の信号に対するデータ変調シンボルのレプリカ（変調シンボルレプリカ）を生成する。
【００８９】
サブキャリアデマッピング部２１０は、伝搬路補償部２０７が出力する信号に対してデマッピング処理を行う。具体的には、伝搬路補償部２０７が出力する信号のうち、所望ユーザ（ユーザ１）がマッピングされているサブキャリアの信号を抽出し、信号検出部２０８−１に入力する。また、非所望ユーザがマッピングされているサブキャリアの信号を抽出し、復調部２２１−２〜復調部２２１−Ｎに入力する。
【００９０】
シンボルレプリカ生成部２４２−ｎ（ｎ＝２、…、Ｎ）は、復調部２２１−ｎ（ｎ＝２、・・・、Ｎ）が出力するユーザｎの復調後の符号化ビットＬＬＲを用いて、ユーザｎの信号に対する変調シンボルのレプリカ（変調シンボルレプリカ）を生成する。
【００９１】
ＩＦＦＴ部２４３は、シンボルレプリカ生成部２４２−ｎ（ｎ＝１、２、…、Ｎ）が出力する変調シンボルレプリカを、受信したＯＦＤＭＡ信号において変調シンボルレプリカに対応するデータ変調シンボルが割り当てられているリソースエレメントに該当するＩＦＦＴ入力ポイントにマッピングし、ＩＦＦＴ処理を行う。ＧＩ挿入部２４４において、ＩＦＦＴ処理後の信号にＧＩを付加した信号レプリカは、上記式（６）となる。ただし、ｃ＾ｋ，ｌは、前記シンボルレプリカ生成部２４２−１〜２４２−Ｎで生成された変調シンボルレプリカである。
【００９２】
すなわち、レプリカ生成部４３２は、所望ユーザのデータ変調シンボルに対する変調シンボルレプリカのみ復号後の符号化ビットＬＬＲから生成し、非所望ユーザのデータ変調シンボルに対する変調シンボルレプリカは復調後の符号化ビットＬＬＲから生成する。そして、これら受信した全ユーザのデータ変調シンボルに対する変調シンボルレプリカを用いて干渉レプリカを生成する。受信装置４００が図２に記載の複数のユーザが割当てられているＯＦＤＭＡ信号を受信した場合、第１のＯＦＤＭシンボル〜第７のＯＦＤＭシンボルに対してターボ等化処理を適用する場合には、ユーザ１を占有しているリソースエレメントには復号後の符号化ビットＬＬＲから生成した変調シンボルレプリカを配置し、ユーザ３が占有しているリソースエレメントには復調後の符号化ビットＬＬＲから生成した変調シンボルレプリカを配置し、送信信号レプリカを生成する。
【００９３】
さらに、ターボ等化処理を適用するＯＦＤＭシンボルが当該ＯＦＤＭシンボルの後ろのＯＦＤＭシンボルから干渉を受ける場合は、後ろのＯＦＤＭシンボルに配置したデータ変調シンボルに対する変調シンボルレプリカを用いることができる。例えば、第７のＯＦＤＭシンボルに対してターボ等化を適用する場合、第８のＯＦＤＭシンボルに配置したユーザ２のデータ変調シンボルに対する復調後の変調シンボルレプリカを用いて送信信号レプリカを生成することもできる。図１１は、複数ユーザのデータ変調シンボルとパイロットシンボルがリソースエレメントにマッピングされた別の例を示す図である。受信装置４００が図１１に記載の複数のユーザが割当てられているＯＦＤＭＡ信号を受信し、ユーザ１が占有する第１のＯＦＤＭシンボル〜第７のＯＦＤＭシンボルに対してターボ等化処理を行う場合には、ユーザ１を占有しているリソースエレメントには復号後の符号化ビットＬＬＲから生成した変調シンボルレプリカを配置し、ユーザ３が占有しているリソースエレメントには復調後の符号化ビットＬＬＲから生成した変調シンボルレプリカを配置し、送信信号レプリカを生成する。加えて、第７のＯＦＤＭシンボルに対してターボ等化を適用する場合、さらに、第８のＯＦＤＭシンボルに配置したユーザ２及びユーザ４のデータ変調シンボルに対する復調後の変調シンボルレプリカを用いて送信信号レプリカを生成することもできる。
【００９４】
図１２は、複数ユーザのデータ変調シンボルとパイロットシンボルがリソースエレメントにマッピングされた別の例を示す図である。受信装置４００が図１２に記載の複数のユーザが割当てられているＯＦＤＭＡ信号を受信し、ユーザ１が占有する第１のＯＦＤＭシンボル〜第１１のＯＦＤＭシンボルに対してターボ等化処理を行う場合には、ユーザ１を占有しているリソースエレメントには復号後の符号化ビットＬＬＲから生成した変調シンボルレプリカを配置し、ユーザ３、ユーザ４が占有しているリソースエレメントには復調後の符号化ビットＬＬＲから生成した変調シンボルレプリカを配置し、送信信号レプリカを生成する。加えて、第１１のＯＦＤＭシンボルに対してターボ等化を適用する場合、さらに、第１２のＯＦＤＭシンボルに配置したユーザ２のデータ変調シンボルに対する復調後の変調シンボルレプリカを用いて送信信号レプリカを生成することもできる。
【００９５】
これにより、所望ユーザに対するターボ等化処理の処理時間を大きく延長させることなく非所望ユーザの変調シンボルレプリカの生成をすることが可能となる。
【００９６】
復調部２２１−２〜２２１−Ｎは、伝搬路補償部２０７が出力する等化後信号のうち、非所望ユーザ宛のデータ変調シンボルがマッピングされたリソースエレメントの等化後信号を抽出し、前記抽出した等化後信号に対して復調処理を行い、軟判定値（復調後の符号化ビットＬＬＲ）を干渉除去部４０４に入力する。
【００９７】
図１０は、受信装置２００の動作を説明するフローチャート図である。受信装置２００は、送信装置１００から送信されたＯＦＤＭＡ信号を受信すると、干渉除去部４０４における繰り返し干渉除去処理において、その繰り返し回数を判定し（Ｓ２０１）、初回処理（ｉ＝０）である場合は、受信したＯＦＤＭＡ信号をそのまま出力する。この信号はＧＩ除去部２０５における処理の後、ＦＦＴ部２０６に入力される。一方、繰り返し処理（ｉ＞０）である場合、第ｉ−１回目の繰り返し処理における所望ユーザに対する復号処理により算出した符号化ビットＬＬＲと非所望ユーザに対する復調処理により算出した符号化ビットＬＬＲから生成した干渉レプリカを用いて干渉除去を行う（Ｓ２０２）。
【００９８】
次に、Ｓ２０１およびＳ２０２の処理を行った信号に対して、ＦＦＴ部２０６においてＦＦＴ処理を行い（Ｓ２０３）、周波数領域に変換された信号に対して伝搬路補償部２０７において伝搬路歪の補償（等化処理）を行う（Ｓ２０４）。等化処理を行った周波数領域の信号（等化後信号）から所望ユーザに対する等化後信号を抽出し、復調処理、復号処理を行った後（Ｓ２０５）、干渉除去処理において所定の繰り返し回数が終了した場合（Ｓ２０６のＹＥＳ）、所望の復号処理結果の硬判定した結果をＭＡＣ部等に渡して、処理を終了し次のデータを受信待機する。一方、所定の繰り返し回数が終了していない場合（Ｓ２０６のＮＯ）、所望ユーザのデータ信号の誤りの有無を判定し（Ｓ２０７）、誤りがない場合、所望の復号処理結果の硬判定した結果をＭＡＣ部等に渡して、処理を終了し次のデータを受信待機する。一方、誤りがある場合、変調シンボルレプリカを生成する。その場合、レプリカ生成が、所望ユーザに対するデータ変調シンボルに対するものか否かを判断する（Ｓ２０８）。所望ユーザに対する変調シンボルレプリカの場合（Ｓ２０８のＹＥＳ）、復号部２２３−１が出力する復号後の符号化ビットＬＬＲから変調シンボルレプリカを生成する（Ｓ２０９）。非所望ユーザに対する変調シンボルレプリカの場合（Ｓ２０８のＮＯ）、復調部２２１−２〜復調部２２１−Ｎが出力する復調後の符号化ビットＬＬＲから変調シンボルレプリカを生成する。（Ｓ２１０）。そして、Ｓ２０９及びＳ２１０で生成した各ユーザに対する変調シンボルレプリカを用いて干渉レプリカを生成し（Ｓ２１１）、干渉除去部２０４に入力し、再度干渉除去処理を行う。
【００９９】
すなわち、予め設定した回数だけ処理が繰り返されるか、または、データ信号の誤りがないと判定されるか、いずれかの条件が満たされるまで処理を繰り返す。なお、前記Ｓ２１０において生成する変調シンボルレプリカは、Ｓ２０９で変調シンボルレプリカを生成した変調シンボル以外であって、その一部又は全部のいずれでもよい。
【０１００】
以上のように、本実施形態では、送信装置１００がＯＦＤＭＡ信号を送信し、受信装置４００がＯＦＤＭＡ信号をガードインターバルを超える長遅延をもって受信した場合、所望ユーザに対しては復号結果から変調シンボルレプリカを生成し、非所望ユーザに対しては復調結果から変調シンボルレプリカを生成する。そして、前記所望ユーザ及び非所望ユーザに対する変調シンボルレプリカから生成した干渉レプリカを用いて、繰り返し干渉除去処理を行う。
【０１０１】
これにより、ＯＦＤＭＡ信号のリソースエレメントに割り当てられている非所望ユーザのリソースエレメントの占有領域に影響されず、所望ユーザのターボ等化処理（繰り返し処理）を行うことができる。したがって、所望ユーザと非所望ユーザのリソースエレメントの占有領域の違いによるターボ等化の処理遅延を抑えることができるという利点がある。さらに、干渉レプリカ生成において、非所望ユーザに対しても変調処理後の符号化ビットＬＬＲを用いるので、非所望ユーザの信号成分が所望ユーザの信号成分に与える干渉も抑えることができ、特性劣化を抑えることができるという利点がある。
【０１０２】
なお、上述した第１の実施形態および第２の実施形態では、ＯＦＤＭのサブキャリアに複数のユーザの信号を割り当てるＯＦＤＭＡに、本発明を適用した場合で説明したが、これに限らず、ＭＣ−ＣＤＭＡ（Multi Carrier - Code Division Multiple Access）、ＳＣ−ＦＤＭＡ（Single Carrier - Frequency Division Multiple Access）、ＤＦＴ−Ｓ−ＯＦＤＭＡ（Discrete Fourier Transform - Spread - OFDMA）などのユーザが周波数分割多重されている信号を送信する通信システムに適用することができる。なお、上述の実施形態では、ＯＦＤＭＡ及び上記に例示列挙した伝送方式をマルチキャリア変調と呼ぶ。
【０１０３】
（第３の実施形態）
本発明の実施形態では、送信装置が、直交するマルチキャリアにおいて単数のユーザが占有するＯＦＤＭの信号を送信する場合を例にして説明する。
【０１０４】
図１３は、本発明の第３の実施形態に係る送信装置５００の一構成例を示す機能ブロック図である。送信装置５００は、シンボル生成部５０２−１〜５０２−Ｎ、ＩＦＦＴ（逆高速フーリエ変換）部１０３、ＧＩ挿入部１０４、送信部１０５及びパイロット生成部１０６を含んで構成され、送信部１０５にアンテナ部１０１が接続されている。尚、Ｎは、ユーザ１の情報ビットを符号化する符号化ブロック数である。
【０１０５】
送信装置５００は、送信装置１００からシンボル生成部１０２−ｎ（ｎ＝１、２、・・・Ｎ）に替えて、シンボル生成部５０２−ｎを配置している。シンボル生成部５０２−ｎは、シンボル生成部１０２−ｎから同一ユーザの情報ビットが入力されることが異なる。
【０１０６】
図１４は、シンボル生成部５０２−ｎ（ｎ＝１，２，３）から入力されるユーザ１のデータ変調シンボルとパイロットシンボルとをＩＦＦＴ部１０３の入力ポイントにマッピングした例を示す図である。
【０１０７】
斜線のリソースエレメントには、パイロットシンボルを配置している。符号部１１１−１によって符号化された符号化ビットがマッピングされたデータ変調シンボルは、リソースエレメント（Ｋ１、Ｌ１）、（Ｋ１＝１・・・１２、Ｌ１＝１・・・７、但し、パイロットシンボルを配置したリソースエレメントは除く。）に配置される。符号部１１１−２によって符号化された符号化ビットがマッピングされたデータ変調シンボルは、リソースエレメント（Ｋ２、Ｌ２）、（Ｋ２＝１、…、１２、Ｌ２＝８、…、１４、ただし、パイロットシンボルを配置したリソースエレメントは除く。）に配置される。符号部１１１−３によって符号化された符号化ビットがマッピングされたデータ変調シンボルは、リソースエレメント（Ｋ３、Ｌ３）、（Ｋ３＝１３、…、２４、Ｌ３＝１、…、１４、但し、パイロットシンボルを配置したリソースエレメントは除く。）に配置される。
【０１０８】
図１５は、本発明の第３の実施形態に係る受信装置６００の一構成例を示す機能ブロック図である。受信装置６００は、送信装置５００が送信する信号を受信する移動端末に搭載されているとして説明する。
【０１０９】
受信装置６００は、受信部２０２、受信信号記憶部２０３、干渉除去部６０４、ＧＩ除去部２０５、ＦＦＴ部２０６、伝搬路補償部２０７、サブキャリアデマッピング部２１０、信号検出部２０８−１〜２０８−Ｎ、伝搬路推定部２０９、を具備し、受信部２０２にアンテナ部２０１が接続されている。また、上記受信装置６００の一部あるいは全部をチップ化して集積回路となる場合、各機能ブロックに対して制御を行うチップ制御回路２１１を有する。
【０１１０】
第１の実施形態の受信装置２００と同等の機能を有する構成要素には同一の符号を付与している。受信装置６００は、受信装置２００に対して、干渉除去部２０４が干渉除去部６０４に替わり、信号検出部２２１−２〜信号検出部２２１−Ｎが追加された点で異なる。以下では、主に、受信装置２００と異なる機能を有する構成要素について説明する。
【０１１１】
干渉除去部６０４は、繰り返し処理（ｉ＞０）においては、信号検出部２０８−１〜信号検出部２０８−Ｎの少なくとも１つから出力される信号及び伝搬路推定部２０９から出力される信号を用いて干渉除去処理を行う。
【０１１２】
図１６は、干渉除去部６０４の一構成例を示す機能ブロック図である。干渉除去部６０４は、減算部２３１、レプリカ生成部２３２、選択部６３３を具備する。選択部６３３は、復号部２２３−１〜復号部２２３−Ｎが出力する復号後の符号化ビットＬＬＲが入力され、所望の符号化ブロックに対する復号後の符号化ビットＬＬＲを選択し、レプリカ生成部２３２に出力する。例えば、ターボ等化処理を適用して符号部１１１−１で符号化した信号の情報データを算出したい場合、図１０−４のリソースエレメント（Ｋ１、Ｌ１）に配置されたデータ変調シンボルを復号する復号部２２３−１が出力する復号後の符号化ビットＬＬＲのみを選択する。レプリカ生成部２３２は、選択部６３３が出力する復号後の符号化ビットＬＬＲのみを用いて干渉レプリカを生成する。レプリカ生成部２３２の機能は、図５に準ずる。減算部２３１はこの干渉レプリカを受信部２０２あるいは受信信号記憶部２０３から入力される信号から減算する。
【０１１３】
サブキャリアデマッピング部２１０は、伝搬路補償部２０７が出力する信号に対してデマッピング処理を行う。具体的には、伝搬路補償部２０７が出力する信号のうち、符号化ブロック毎に、該当する信号検出部２０８−１〜信号検出部２０８−Ｎに入力する。すなわち、符号部１１１−ｎ（ｎ＝１、２、・・・Ｎ）により符号化されている信号は、信号検出部２０８−ｎにより復号処理を行う。
【０１１４】
信号検出部２０８−ｎは、各々で算出した復号後の符号化ビットＬＬＲを干渉除去部６０４に出力する。
【０１１５】
これにより、送信信号レプリカの生成が非所望の符号化ブロックの信号の配置に依存しない。よって、所望の符号化ブロックの信号に対するターボ等化処理の処理時間を大きく延長させることなく、干渉を除去することが可能となる。
【０１１６】
図１７は、受信装置６００の動作を説明するフローチャート図である。受信装置６００は、送信装置４００から送信されたＯＦＤＭ信号を受信すると、干渉除去部６０４における繰り返し干渉除去処理において、その繰り返し回数を判定し（Ｓ３０１）、初回処理（ｉ＝０）である場合は、受信したＯＦＤＭ信号をそのまま出力する。この信号はＧＩ除去部２０５における処理の後、ＦＦＴ部２０６に入力される。一方、繰り返し処理（ｉ＞０）である場合、第ｉ−１回目の繰り返し処理における所望符号化ブロックに対する復号処理により算出した符号化ビットＬＬＲから生成した干渉レプリカを用いて所望ユーザの信号に対する干渉除去を行う（Ｓ３０２）。
【０１１７】
次に、Ｓ３０１およびＳ３０２の処理を行った信号に対して、ＦＦＴ部２０６においてＦＦＴ処理を行い（Ｓ３０３）、周波数領域に変換された信号に対して伝搬路補償部２０７において伝搬路歪の補償（等化処理）を行う（Ｓ３０４）。等化処理を行った周波数領域の信号（等化後信号）から所望ユーザに対する等化後信号を抽出し、復調処理、復号処理を行った後（Ｓ３０５）、干渉除去処理において所定の繰り返し回数が終了した場合（Ｓ３０６のＹＥＳ）、所望の復号処理結果の硬判定した結果をＭＡＣ部等に渡して、処理を終了し次のデータを受信待機する。一方、所定の繰り返し回数が終了していない場合（Ｓ３０６のＮＯ）、所望ユーザのデータ信号の誤りの有無を判定し（Ｓ３０７）、誤りがない場合、所望の復号処理結果の硬判定した結果をＭＡＣ部等に渡して、処理を終了し次のデータを受信待機する。一方、誤りがある場合、復号部２２３−１〜復号部２２３−Ｎが出力する符号化ビットＬＬＲのうち、所望の符号化ブロックに対する符号化ビットＬＬＲを用いて、所望符号化ブロックに対する変調シンボルレプリカを生成する（Ｓ３０８）。そして、上記所望符号化ブロックに対する変調シンボルレプリカを用いて干渉レプリカを生成し（Ｓ３０９）、干渉除去部６０４に入力し、再度干渉除去処理を行う（ステップＳ３０１に戻る）。すなわち、予め設定した回数だけ処理が繰り返されるか、または、データ信号の誤りがないと判定されるか、いずれかの条件が満たされるまで処理を繰り返す。
【０１１８】
以上のように、本実施形態では、送信装置４００がＯＦＤＭ信号を送信し、受信装置６００がガードインターバルを超える長遅延をもってＯＦＤＭ信号を受信した場合、一部の復号結果から生成した干渉レプリカを用いて、繰り返し干渉除去処理を行う。すなわち、所望の符号化ブロックに対する復号結果のみから生成した干渉レプリカを用いて、繰り返し干渉除去処理を行う。
【０１１９】
これにより、ＯＦＤＭ信号のリソースエレメントに割り当てられている非所望符号化ブロックのリソースエレメントの占有領域に影響されず、所望符号化ブロックに対するターボ等化処理（繰り返し処理）を行うことができる。したがって、所望号化ブロックと非所望号化ブロックのリソースエレメントの占有領域の違いによるターボ等化の処理遅延を抑えることができるという利点がある。
【０１２０】
また、各符号化ブロックが占有するＯＦＤＭシンボル数が異なる場合においても、非所望の符号化ブロックの復号処理時間に拘束されることなく、所望の符号化ブロックに対するターボ等化処理を行うことができる。その結果、所望の符号化ブロックの信号に対する最終的な情報データを取得するために要する処理時間が延びることを抑え、消費電力を増加、受信機の効率を悪化させることを抑えることができる。
【０１２１】
また、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【０１２２】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【０１２３】
また、「コンピュータシステム」は、ＷＷＷシステムを利用している場合であれば、ホームページ提供環境（あるいは表示環境）も含むものとする。
【０１２４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【０１２５】
また、図１及び図１３における送信装置の全部または一部と、図３、図４、図５、図７、図８，図９、図１３、図１５、図１６における受信装置の全部または一部との機能を集積回路に集約して実現してもよい。送信装置及び受信装置の各機能ブロックは個別にチップ化してもよいし、一部、又は全部を集積してチップ化してもよい。また、チップ化した送信装置及び受信装置の各機能ブロックに対して制御を行うチップ制御回路を集積してもよい。上記チップ制御回路は、少なくとも干渉除去部２０４、干渉除去部４０４、干渉除去部６０４に対して制御を行う。指定、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【産業上の利用可能性】
【０１２６】
本発明は、通信装置に利用可能である。
【符号の説明】
【０１２７】
１００…送信装置、１０１…アンテナ、１０２１〜Ｎ…シンボル生成部、１１１−１〜Ｎ…符号部、１０３…ＩＦＦＴ部、１０４…ＧＩ挿入部、１０５…送信部、２００…受信装置、２０１…アンテナ、２０２…受信部、２０３…受信信号記憶部、２０４…干渉除去部、２０５…ＧＩ除去部、２０６…ＦＦＴ部、２０７…伝搬路補償部、２０８−１…信号検出部、２０９…伝搬路推定部、２２１−１…復調部、２２２−１…デインターリーブ部、２２３−１…復号部。
【図１】
2011097125.tif 000010
【図２】
2011097125.tif 000011
【図３】
2011097125.tif 000012
【図４】
2011097125.tif 000013
【図５】
2011097125.tif 000014
【図６】
2011097125.tif 000015
【図７】
2011097125.tif 000016
【図８】
2011097125.tif 000017
【図９】
2011097125.tif 000018
【図１０】
2011097125.tif 000019
【図１１】
2011097125.tif 000020
【図１２】
2011097125.tif 000021
【図１３】
2011097125.tif 000022
【図１４】
2011097125.tif 000023
【図１５】
2011097125.tif 000024
【図１６】
2011097125.tif 000025
【図１７】
2011097125.tif 000026
【図１８】
2011097125.tif 000027
【図１９】
2011097125.tif 000028